(57)【要約】      （修正有）【課題】ロールペーパータオルを固定し、ペーパータオルの取り出し枚数を制限するペーパータオル用ホルダー構造を提供する。 【解決手段】ペーパータオル用ホルダー構造は、底ベース２０と、第１棒体２１と、第２棒体２２と、固定上蓋２３と、固定内蓋と、複数の支持弾性片２５とから構成される。第１棒体２１と第２棒体２２との間に、固定上蓋２３と固定内蓋との組合せにより、複数の支持弾性片２５を効果的に固定することができ、ゆえに、ロールペーパータオル３に第１棒体２１と第２棒体２２を挿入した後、各支持弾性片２５は、外向きにロールペーパータオル３の内筒３０部分に突っ張ることを利用してロールペーパータオル３を位置固定させることができる。ペーパータオルを取り出す時、固定内蓋の内周壁に複数の係止溝が画定され、係止溝は、主に係合組立部材に相対応して係合当接する。【選択図】図７
0003200510.tif 000002
【実用新案登録請求の範囲】
【請求項１】
ペーパータオル用ホルダー構造であって、
第１対接部が設置される底ベースと、
一端に前記第１対接部と互いに組合せる第１連接部が設置され、他端に第２対接部及び係合組立部材が設置される第１棒体と、
一端に第２連接部が設置され、他端に第３連接部が設置される第２棒体と、
収容空間と前記収容空間と相通ずる挿着孔とが形成される固定上蓋と、
前記挿着孔に対応する対応貫通孔が形成される固定内蓋と、
複数の支持弾性片とを備え、
前記固定内蓋の外周壁に複数の固定溝が形成され、前記固定内蓋の内周壁に前記係合組立部材に対応して係合当接する複数の係止溝が画定され、そして前記固定内蓋が前記収容空間に装着され、かつ前記挿着孔及び前記対応貫通孔に前記第２連接部が貫設されると共に、前記第２対接部に装着固定され、
前記複数の支持弾性片は、それぞれ対応して前記複数の固定溝に設置され、かつ前記固定上蓋の内壁面によって挟持固定されることを特徴とする、ペーパータオル用ホルダー構造。
【請求項２】
前記第３連接部と互いに連接して固定される可動固定蓋をさらに備えることを特徴とする、請求項１に記載のペーパータオル用ホルダー構造。
【請求項３】
前記第２棒体の一端に位置する前記第２連接部を、その中に置くための突設挿着部が設置され、前記突設挿着部に挿入することにより、前記挿着孔及び前記対応貫通孔に固定することを特徴とする、請求項１に記載のペーパータオル用ホルダー構造。
【請求項４】
前記係合組立部材は、接合平面と、前記接合平面に設置される少なくとも１つの係合具と、前記接合平面から延伸する突出固定部とを備えることを特徴とする、請求項１に記載のペーパータオル用ホルダー構造。
【請求項５】
前記突出固定部によって前記第２連接部を挿入すると共に、前記第２連接部と相接する挿設空間が画定されることを特徴とする、請求項４に記載のペーパータオル用ホルダー構造。
【請求項６】
前記固定上蓋の内壁面に前記複数の固定溝に相対応する複数の挟持平面が画定されることを特徴とする、請求項１に記載のペーパータオル用ホルダー構造。
【請求項７】
各前記支持弾性片は、各前記固定溝に位置し、かつ前記複数の挟持平面によって固定される取付段と、前記取付段から延伸する弾性支持段とが画定されることを特徴とする、請求項６に記載のペーパータオル用ホルダー構造。
【請求項８】
固定スリーブをさらに備え、前記固定スリーブには、前記第１連接部を挿入するためと共に、前記第１対接部に固定される取付凹部が形成されることを特徴とする、請求項１に記載のペーパータオル用ホルダー構造。
【考案の詳細な説明】
【技術分野】
【０００１】
本考案は、ペーパータオル用ホルダーに係り、特に、ロールペーパータオルを固定し、かつペーパータオルの取り出し枚数を制限するペーパータオル用ホルダー構造に関するものである。
【背景技術】
【０００２】
伝統的なロール状ペーパータオルは、例えば衛生用紙や油汚れ取り紙などが挙げられ、それと一般の平判状ペーパータオルとの相違点は、即ち、前記平判状ペーパータオルを、定量に取り持つことができず、ある時には、１枚しか取り出せなくなったり、またある時には、返って何枚も引き抜いてしまうので、適量に取り持ちには比較的に不便となる。一方、ロール状ペーパータオルは、連続的なミシン目連結を採用するものであるので、取り持つ時、必要に応じて定量に取り持つことができ、ペーパータオルを無駄遣いすることを比較的に減らすことができ、かつ取り持ちには比較的に便利となる。
【０００３】
現在、常用されているロールペーパータオル用ホルダー１は、ベース体１０と、支持棒１１と、弾性支持組立部材１２と、上蓋１３とを備え、その中、弾性支持組立部材１２は、複数本の湾曲した鉄片１２０と、それぞれ鉄片１２０の両端に固定される２個の固定ベース１２２とから構成され、組付時、各固定ベース１２２に支持棒１１を貫設させる必要があり、そして隣接するベース体１０の固定ベース１２２と支持棒１１との間のラッチ方式を係合構造としていることにより、連続的にミシン目連結する目的及び効果が達成されるが、ただし、このような組付け方式全体は、比較的に繁雑であり、かつ機構の組付けも相対的に容易なことではない。連続的なミシン目連結は、ラッチを主要な機構としているので、ラッチでは、不当使用、長期間間使用や材質変質などの問題に起因するラッチの損傷が非常に生じやすくなり、連続的にミシン目連結する機能を失うことになる。
【考案の概要】
【考案が解決しようとする課題】
【０００４】
本考案の主要な目的は、ロールペーパータオルに第１棒体と第２棒体を挿入した後、各支持弾性片は、外向きにロールペーパータオルの内筒部分に突っ張ることを利用してロールペーパータオルを位置固定させることができ、ペーパータオルを取り出す時、固定内蓋の内周壁に複数の係止溝が画定され、係止溝は、主に係合組立部材に相対応して係合当接するので、このように係止溝と係合組立部材との組合せにより、ペーパータオルが取り出される度にロールペーパータオルを１段ずつ回動させることが可能となり、過度の回転によるペーパータオルが何枚も引き抜かれる（過量）問題を解消できる、ペーパータオル用ホルダー構造を提供することにある。
【課題を解決するための手段】
【０００５】
上記目的を達成するために、本考案に係るペーパータオル用ホルダー構造は、第１対接部が設置される底ベースと、一端に前記第１対接部と互いに組合せる第１連接部が設置され、他端に第２対接部及び係合組立部材が設置される第１棒体と、一端に第２連接部が設置され、他端に第３連接部が設置される第２棒体と、収容空間と前記収容空間と相通ずる挿着孔とが形成される固定上蓋と、前記挿着孔に対応する対応貫通孔が形成される固定内蓋と、複数の支持弾性片とを備え、前記固定内蓋の外周壁に複数の固定溝が形成され、内周壁に前記係合組立部材に対応して係合当接する複数の係止溝が画定され、そして前記固定内蓋が前記収容空間に装着され、かつ前記挿着孔及び前記対応貫通孔に前記第２連接部が貫設されるためと共に、前記第２対接部に装着固定され、前記複数の支持弾性片は、それぞれ対応して前記複数の固定溝に設置され、かつ前記固定上蓋の内壁面によって挟持固定される。
【０００６】
本考案の一実施例によれば、前記第３連接部と互いに連接して固定される可動固定蓋をさらに備える。
【０００７】
本考案の一実施例によれば、前記第２棒体の一端に位置する前記第２連接部を、その中に置くための突設挿着部が設置され、前記突設挿着部に挿入することにより、前記挿着孔及び前記対応貫通孔に固定する。
【０００８】
本考案の一実施例によれば、前記係合組立部材は、接合平面と、前記接合平面に設置される少なくとも１つの係合具と、前記接合平面から延伸する突出固定部とを備える。
【０００９】
本考案の一実施例によれば、前記突出固定部によって前記第２連接部を挿入するためと共に、前記第２連接部と相接する挿設空間が画定される。
【００１０】
本考案の一実施例によれば、  前記固定上蓋の内壁面に前記複数の固定溝に相対応する複数の挟持平面が画定される。
【００１１】
本考案の一実施例によれば、各前記支持弾性片は、各前記固定溝に位置し、かつ前記複数の挟持平面によって固定される取付段と、前記取付段から延伸する弾性支持段とが画定される。
【００１２】
本考案の一実施例によれば、固定スリーブをさらに備え、前記固定スリーブには、前記第１連接部を挿入するためと共に、前記第１対接部に固定される取付凹部が形成される。
【考案の効果】
【００１３】
本考案の副次的な目的は、係合具と係止溝とは、主に歯車機構を利用して噛合効果が達成されるので、不当使用、長期間間使用や材質変質などの問題に起因するラッチの損傷を生じることなく、連続的にミシン目連結する機能を失うことなく、品質安定化目的を達成できる、ペーパータオル用ホルダー構造を提供することにある。
【００１４】
本考案の別の副次的な目的は、全体構造が簡単であり、使用者自らが着脱作業（取り外し、取り付け）を行うことができるため、相対的に容易に収納することが可能であり、空間を占拠することのない、ペーパータオル用ホルダー構造を提供することにある。
【図面の簡単な説明】
【００１５】
【図１】従来技術の斜視図である。
【図２】本考案の好適な実施例の斜視図である。
【図３】本考案の好適な実施例の斜視分解図である。
【図４】本考案の固定上蓋、固定内蓋及び支持弾性片の組付図である。
【図５】本考案の第１棒体及び第２棒体と固定上蓋及び固定内蓋の組付図である。
【図６】本考案の固定内蓋と係合組立部材の組付断面図である。
【図７】本考案の好適な実施例の使用状態図である。
【図８】本考案の別の好適な実施例の斜視図である。
【考案を実施するための形態】
【００１６】
図２は、本考案の好適な実施例の斜視図であり、図３は、本考案の好適な実施例の斜視分解図である。図２及び図３に示すように、ペーパータオル用ホルダー２は、底ベース２０と、第１棒体２１と、第２棒体２２と、固定上蓋２３と、固定内蓋２４と、複数の支持弾性片２５と、固定スリーブ２７とから構成され、底ベース２０には、第１対接部２００が設置され、第１棒体２１の一端に前記第１対接部２００と互いに組合せる第１連接部２１０が設置され、他端に第２対接部２１２及び係合組立部材２１４が設置され、そして第２棒体２２の一端に第２連接部２２０が設置され、他端に第３連接部２２２が設置され、第３連接部２２２と互いに連接して固定される可動固定蓋２６をさらに備え、固定上蓋２３には、収容空間２３０と前記収容空間２３０と相通ずる挿着孔２３２とが形成され、固定内蓋２４には、前記挿着孔２３２に対応する対応貫通孔２４０が形成され、前記固定内蓋２４の外周壁に複数の固定溝２４２が形成され、内周壁に前記係合組立部材２１４に対応して係合当接する複数の係止溝２４４及び挟持平面２３４が画定され、そして前記固定内蓋２４が前記収容空間２３０に装着され、かつ前記挿着孔２３２及び前記対応貫通孔２４０に前記第２連接部２２０が貫設されるためと共に、前記第２対接部２１２に装着固定され、前記固定スリーブ２７には、前記第１連接部２１０を挿入するためと共に、前記第１対接部２００に固定される取付凹部２７０が形成され、各支持弾性片２５は、対応して各前記固定溝２４２に設置され、かつ前記固定上蓋２３の内壁面によって挟持固定され、その中、各支持弾性片２５は、各前記固定溝２４２に位置し、かつ前記複数の挟持平面２３４によって固定される取付段２５０と、前記取付段２５０から延伸する弾性支持段２５２とが画定され、特に、固定上蓋２３の内壁面によって画定される各挟持平面２３４は、各固定溝２４２に対応して取付段２５０を挟持することにより、固定目的が達成され、弾性支持段２５２に至っては、外向きに折曲し、かつ弾性を有する態様を呈する。
【００１７】
なお、係合組立部材２１４は、接合平面２１４０と、前記接合平面２１４０に設置される少なくとも１つの係合具２１４２と、前記接合平面２１４０から延伸する突出固定部２１４４とを備え、突出固定部２１４４によって前記第２連接部２２０を挿入するためと共に、前記第２連接部２２０と相接する挿設空間２１４６が画定される。また、前記第２棒体２２の一端に、突設挿着部２２４が設置され、そして第２連接部２２０は、突設挿着部２２４内に位置し、前記突設挿着部２２４に挿入されることにより、前記挿着孔２３２及び前記対応貫通孔２４０に固定される。
【００１８】
図４〜図６に示すように、図４において、組付時、各支持弾性片２５上の取付段２５０を、まず、固定内蓋２４の固定溝２４２に設置する必要があり、その後、固定内蓋２４を固定上蓋２３の収容空間２３０内に取り付け、この時の固定上蓋２３の挿着孔２３２は、固定内蓋２４の対応貫通孔２４０に対応し、組付け完了後の取付段２５０は、挟持平面２３４による圧迫を受けて固定溝２４２と挟持平面２３４との間に強固に挟設され、そして弾性支持段２５２は、外向きに突っ張る態様を呈するので、ロールペーパータオル３の内筒３０部分は、弾性支持段２５２の内から外向きの支持力を受けて位置固定される。
【００１９】
図５及び図６中から、固定上蓋２３、固定内蓋２４及び各支持弾性片２５の組付け完了後、この時の第１棒体２１の他端での第２対接部２１２は、それぞれ挿着孔２３２及び対応貫通孔２４０を通り抜けた後、第２棒体２２上の第２連接部２２０に鎖錠固定され、第２対接部２１２と第２連接部２２０の鎖錠固定・組付を行う時、係合組立部材２１４上の突出固定部２１４４によって前記第２連接部２２０を挿入するためと共に、前記第２連接部２２０と相接する挿設空間２１４６が画定されるほか、突出固定部２１４４は、対応貫通孔２４０に挿設固定され、これにより、第１棒体２１及び第２棒体２２の組付後の安定性を着実に確保できることで、第２対接部２１２及び第２連接部２２０の支持のみで断裂が発生するおそれがある問題を回避できることが明白に理解できる。また、組付と同時に、接合平面２１４０上の係合具２１４２は、固定内蓋２４内に形成される係止溝２４４と相互に係合当接するので、固定上蓋２３を回転させる時には、固定内蓋２４及び各支持弾性片２５が連動されて、固定内蓋２４は、係合具２１４２と係止溝２４４との間の係合構造と、第１棒体２１とにより、１段ずつの回動動作を呈し、使用者は、係合具２１４２と係止溝２４４との間に引張る時、構造の接触により生じる音響及び連続的なミシン目連結により、ペーパータオルを適量に取り出す目的が達成される。本考案における係合具２１４２は、相対応する位置箇所に設置されるので、固定内蓋２４内に形成される係止溝２４４と相互に係合当接する時、そのペーパータオルを取り出す全体の効果、安定性及び使用強度についてはさらに完備されることは、言及に値するであろう。
【００２０】
上記構造の組合せ完了後、図７に示すように、使用者は、使用前にまず、可動固定蓋２６を第２棒体２２上から取り外し、その後、第１棒体２１及び第２棒体２２をロールペーパータオル３の内筒３０に貫設させる必要があり、この時、外向きに突っ張る態様を呈する弾性支持段２５２は、内筒３０に対して内から外向きの支持力が生じて位置固定され、ロールペーパータオル３の配置が完了してから、可動固定蓋２６を第２棒体２２の第３連接部２２２に固定させ、配置後のロールペーパータオル３は、底ベース２０の表面に載置される。図４及び図６から、係合具２１４２は、固定内蓋２４内に形成される係止溝２４４と相互に係合当接するので、ペーパータオルを取り出す時、ロールペーパータオル３の内筒３０を利用して弾性支持段２５２により、固定上蓋２３、固定内蓋２４及び各支持弾性片２５を連動して回転させ、そして固定内蓋２４は、係合具２１４２と係止溝２４４との間の係合構造と、第１棒体２１とを利用して、１段ずつの回動動作を呈し、使用者は、係合具２１４２と係止溝２４４との間に引張る時、構造の接触により生じる音響及び連続的なミシン目連結により、ペーパータオルを適量に取り出す目的が達成されることが明白に理解できる。
【００２１】
本考案のペーパータオル用ホルダー構造によれば、係止溝と係合組立部材との組合せにより、ペーパータオルが取り出される度にロールペーパータオルを１段ずつ回動させることが可能となり、過度の回転によるペーパータオルが何枚も引き抜かれる（過量）問題を解消できる
【００２２】
前述した構造を踏襲すると共に、図８に示す本考案の別の好適な実施例を参照する。ペーパータオル用ホルダー２は、固定上蓋２３、固定内蓋２４（図３参照）及び複数の支持弾性片２５を２組備えるものを例として挙げると同時に、第１棒体２１と、第２棒体２２と、第３棒体２８とを付け合せる必要があり、固定上蓋２３、固定内蓋２４及び複数の支持弾性片２５の組数がより多い場合に応用される時、相対応する棒体を適宜追設する必要があり、例えば固定上蓋２３、固定内蓋２４及び複数の支持弾性片２５を１組備えるものを組付けるために、２本の棒体を利用しなければならない。本実施態様において、可動固定蓋２６を第２棒体２２上から取り外すと共に、ロールペーパータオル（未図示）を納置し、ロールペーパータオルは、上下位置の支持弾性片２５からの支持を受けてロールペーパータオルが取り出される度に回動させる時の安定性を効果的に保持することができ、かつ外向きの支持力不足に起因する空転現象が生じるのを抑制することができる。載置が完了してから、可動固定蓋２６を第２棒体２２に固定させ、固定上蓋２３、固定内蓋２４及び複数の支持弾性片２５を２組備えるもの以外に、実際の必要に応じて３組やそれ以上多数の組を追設してもよく、対応する棒体の本数を、追設する組数に棒体１本を加えた数量として求める方法を計算方法として採用する。支持弾性片２５の組数が多ければ多いほど、それに対応するロールペーパータオルの支持効果がより効果的になる。
【符号の説明】
【００２３】
従来技術
１：ロールペーパータオル用ホルダー
１０：ベース体
１１：支持棒
１２：弾性支持組立部材
１２０：鉄片
１２２：固定ベース
１３：上蓋
本考案
２：ペーパータオル用ホルダー
２０：底ベース
２００：第１対接部
２１０：第１連接部
２１２：第２対接部
２１：第１棒体
２１４：係合組立部材
２１４０：接合平面
２１４２：係合具
２１４４：突出固定部
２１４６：挿設空間
２２：第２棒体
２２０：第２連接部
２２２：第３連接部
２２４：突設挿着部
２３：固定上蓋
２３０：収容空間
２３２：挿着孔
２３４：挟持平面
２４：固定内蓋
２４０：対応貫通孔
２４２：固定溝
２４４：係止溝
２５：支持弾性片
２５０：取付段
２５２：弾性支持段
２６：可動固定蓋
２７：固定スリーブ
２７０：取付凹部
２８：第３棒体
３：ロールペーパータオル
３０：内筒
【図１】
0003200510.tif 000003
【図２】
0003200510.tif 000004
【図３】
0003200510.tif 000005
【図４】
0003200510.tif 000006
【図５】
0003200510.tif 000007
【図６】
0003200510.tif 000008
【図７】
0003200510.tif 000009
【図８】
0003200510.tif 000010